(57)【要約】【課題】配線部材を容易に配索することができ、設計の自由度を向上させることが可能なシャワー装置を提供する。【解決手段】シャワー装置のシャワー本体１０は、散水部１３と、吐水本体部１２と、カバー１４とを有している。散水部１３の裏面側で、散水部１３と吐水本体部１２との間には、通水空間２４が形成される。散水部１３と吐水本体部１２は、カバー１４内に収容される。散水部１３は、通水空間２４に連通する複数の散水孔６６を有し、浴室９０の内側を向く表面に、電気部品装着部３８を有している。散水部１３の表面側には、電気部品装着部３８に装着された電気部品４４に電気的に接続される配線部材４７が配索される。【選択図】図３
2019130161.tif 000002
【特許請求の範囲】
【請求項１】
浴室の壁面または天井面に配置されるシャワー装置であって、
前記浴室の内側を向く表面に電気部品装着部を有し、裏面側の通水空間に複数の散水孔が連通する散水部と、
前記散水部の表面側に臨むように配索され、前記電気部品装着部に装着された電気部品に電気的に接続される配線部材と、を備えるシャワー装置。
【請求項２】
前記電気部品装着部は、前記散水部の前記表面において、前記複数の散水孔に取り囲まれるように配置される請求項１に記載のシャワー装置。
【請求項３】
前記散水孔は、管部の内側に形成され、前記管部は、前記散水部の前記表面側に突出し、前記配線部材は、前記散水部の前記表面側において、前記管部の外周の外側に配索される請求項１又は請求項２に記載のシャワー装置。
【請求項４】
前記散水部は、前記表面の側縁部に、前記配線部材を固定する係止部を有する請求項１ないし請求項３のいずれか１項に記載のシャワー装置。
【請求項５】
前記散水部の前記裏面側において、前記散水部との間に前記通水空間を形成して、前記通水空間に給水する吐水本体部と、
前記散水部、前記配線部材及び前記吐水本体部を覆うカバーと、を備え、
前記係止部に固定される前記配線部材は、前記吐水本体部の側面よりも内側に控えた位置に配置される請求項４に記載のシャワー装置。
【請求項６】
前記係止部は、前記散水部の前記側縁部側から前記吐水本体部に向けて突出し、突出方向先端部が前記吐水本体部に対向して配置され、前記散水部の前記側縁部、前記係止部及び前記吐水本体部との間には、前記配線部材の保持空間が形成される請求項５に記載のシャワー装置。
【発明の詳細な説明】
【技術分野】
【０００１】
本発明は、シャワー装置に関する。
【背景技術】
【０００２】
特許文献１に開示のシャワー装置は、浴室の壁面に取り付けられるシャワー本体を備えている。シャワー本体は、保護カバーと、保護カバー内に配置される、シャワー用通水管、洗髪シャワー用通水管、ミスト用通水管と、を有している。シャワー用通水管と洗髪シャワー用通水管は、保護カバー内の下側に並列に配置され、ミスト用通水管は、シャワー用通水管と洗髪シャワー用通水管の上側に配置されている。保護カバー内には、洗髪シャワー用通水管の上側で、且つミスト用通水管の下側に、電気部品となる装飾用のＬＥＤ（発光ダイオード）が多数配置されている。
【先行技術文献】
【特許文献】
【０００３】
【特許文献１】特許第４８３２６８０号公報
【発明の概要】
【発明が解決しようとする課題】
【０００４】
上記の場合、ＬＥＤが保護カバーの内部において各通水管の間に配置されているため、ＬＥＤに給電する配線部材を、各通水管との接触を回避しつつ、取り回ししなければならず、設計の自由度が制限されるおそれがある。
【０００５】
本発明は上記のような事情に基づいて完成されたものであって、配線部材を容易に配索することができ、設計の自由度を向上させることが可能なシャワー装置を提供することを目的とする。
【課題を解決するための手段】
【０００６】
本発明のシャワー装置は、浴室の壁面または天井面に配置されるシャワー装置であって、前記浴室の内側を向く表面に電気部品装着部を有し、裏面側の通水空間に複数の散水孔が連通する散水部と、前記散水部の表面側に臨むように配索され、前記電気部品装着部に装着された電気部品に電気的に接続される配線部材と、を備えるところに特徴を有する。
【０００７】
散水部の裏面側に通水空間が存在し、電気部品装着部が散水部の表面に設けられ、配線部材が散水部の表面側に臨むように配索されるため、配線部材が通水空間と交差することがなく、配線部材の取り回しを容易に行うことができるとともに、電気部品装着部、配線部材及び通水空間を支障なく設置することができ、設計の自由度を向上させることができる。
【図面の簡単な説明】
【０００８】
【図１】実施例１において、シャワー装置を備えた浴室の概略図である。
【図２】シャワー本体の分解斜視図である。
【図３】カバーを外したシャワー本体の斜視図である。
【図４】シャワー本体の長さ方向一側の側面視方向の断面図である。
【図５】シャワー本体の長さ方向他側の側面視方向の断面図である。
【図６】図４のＡ−Ａ線断面図である。
【図７】図４のＢ−Ｂ線断面図である。
【図８】係止部とその周辺の拡大断面図である。
【図９】配線部材の一部拡大斜視図である。
【図１０】保持部材の底面図である。
【図１１】散水板の底面図である。
【図１２】押さえ部材の底面図である。
【発明を実施するための形態】
【０００９】
本発明の好ましい実施形態を以下に示す。
（１）前記電気部品装着部は、前記散水部の前記表面において、前記複数の散水孔に取り囲まれるように配置される。これによれば、散水部の表面の適宜個所に電気部品装着部を設けることができる。
【００１０】
（２）前記散水孔は、管部の内側に形成され、前記管部は、前記散水部の前記表面側に突出し、前記配線部材は、前記散水部の前記表面側において、前記管部の外周の外側に配索される。これによれば、配線部材の漏電の可能性を低くすることができる。
【００１１】
（３）前記散水部は、前記表面の側縁部に、前記配線部材を固定する係止部を有する。これによれば、配線部材が係止部で固定されて散水部の表面側から浮き上がるのを防止することができる。また、係止部が散水部の側縁部に設けられることにより、散水部の表面における配線部材の配索領域を小さく抑えることができ、その分、各散水孔の開口部分などを設置する有効領域を広く確保することができる。
【００１２】
（４）前記散水部の前記裏面側において、前記散水部との間に前記通水空間を形成して、前記通水空間に給水する吐水本体部と、前記散水部、前記配線部材及び前記吐水本体部を覆うカバーと、を備え、前記係止部に係止される前記配線部材は、前記吐水本体部の側面よりも内側に控えた位置に配置される。これによれば、カバーを被せる際に、係止部に固定された配線部材がカバーの内側に噛み込まれるのを防止することができる。
【００１３】
（５）前記係止部は、前記散水部の前記側縁部側から前記吐水本体部に向けて突出し、突出方向先端部が前記吐水本体部に対向して配置され、前記散水部の前記側縁部、前記係止部及び前記吐水本体部との間には、前記配線部材の保持空間が形成される。これによれば、配線部材が保持空間に抜け止め状態に安定して保持される。
【００１４】
＜実施例１＞
以下、実施例１を図面に基づいて説明する。本実施例１のシャワー装置は、図１に示すように、浴室９０の側壁面９１に設置される筐体部８０と、筐体部８０の上部に接続され、浴室９０の天井面９２に設置されるオーバーヘッドシャワー部としてのシャワー本体１０と、を備えている。なお、シャワー本体１０の説明において、各部の「表面」及び「裏面」は、浴室９０の内側を向く表面側とし、浴室９０の外側を向く裏面側とする。また、「表面」を下面と称し、「裏面」を上面と称することもある。
【００１５】
浴室９０は、シャワー装置の他、浴槽９３、洗い場９５、主照明９６などを備えている。もっとも、浴室９０は、少なくともシャワー装置を備えていて浴室と認められるものであれば、特に限定されず、例えば、洗い場９５を有さず、シャワー装置と浴槽９３とからなるものや、浴槽９３を有さず、シャワー装置と洗い場９５とからなるものであってもよく、あるいは、シャワー装置のみからなるものであってもよい。
【００１６】
筐体部８０は、側壁面９１に沿って上下方向に細長く延びる箱状をなし、表面に、操作部８１を複数有し、内部に、シャワー本体１０に接続される給水管８５を有している。筐体部８０の表面には、ハンドシャワー部８３が接続され、筐体部８０の下端部には、カラン部８４が接続されている。操作部８１は、シャワー本体１０、ハンドシャワー部８３及びカラン部８４からの吐水を行う際に操作される。
【００１７】
図３に示すように、シャワー本体１０は、裏面側から表面側にかけて順次重なるようにして、ブラケット部１１、吐水本体部１２及び散水部１３を有している。ブラケット部１１、吐水本体部１２及び散水部１３は、表裏方向に実質的に積層配置される複数の長尺板材（後述する、ブラケット本体１５、ガイド部材１６、本体上部材１７、本体下部材１８、押さえ部材２５、散水板２６、保持部材２７）で構成される。また、シャワー本体１０は、上方及び長手方向一側（筐体部８０側）に開口する長尺箱状のカバー１４を有している。ブラケット部１１、吐水本体部１２及び散水部１３は、カバー１４内に収容される。
【００１８】
図６に示すように、ブラケット部１１は、天井面９２にビス１１２を介して固定される金属製のブラケット本体１５と、ブラケット本体１５にスライド装着される金属製のガイド部材１６と、を有している。ブラケット部１１は、ガイド部材１６に挿通されるビス１１３などを介してシャワー本体１０を支持する機能を有している。
【００１９】
吐水本体部１２は、合成樹脂製の本体上部材１７と、合成樹脂製の本体下部材１８と、を有している。図２に示すように、本体下部材１８の長手方向一側の端部には、配管部１９が一体に連設されている。配管部１９は、給水管８５に接続される。
【００２０】
図４及び図５に示すように、本体上部材１７は、上方に膨出しつつ配管部１９から長手方向略中央部にかけて延びる膨出部２１を有している。本体上部材１７と本体下部材１８は、封止材を介して外周部分が水密に連結される。膨出部２１は、下面が本体下部材１８で閉じられ、内側に、給水空間２２を形成する。本体下部材１８は、長手方向略中央部に、給水空間２２に通じる連通孔２３を有している。給水管８５内の湯水は、配管部１９から給水空間２２を経て連通孔２３を流れ、後述する通水空間２４に導入される。
【００２１】
散水部１３は、本体下部材１８の下方に位置する、合成樹脂製の押さえ部材２５、ゴム製の散水板２６及び合成樹脂製の保持部材２７を有している。図１０に示すように、保持部材２７は、長手方向に配置される両側縁部２８と、両側縁部２８に連なって短手方向に配置される両端部２９と、両側縁部２８及び両端部２９に連なって内側の主要部分を構成する底部３１と、を有している。両側縁部２８及び両端部２９は、表裏面が周方向に連続する平坦な形状になっている。底部３１は、短手方向の断面が下向き湾曲状に形成されている。両側縁部２８は、表裏方向に貫通する複数のビス挿通孔３２を有している。図７に示すように、保持部材２７は、吐水本体部１２側からビス挿通孔３２に螺合されるビス３３を介して、本体下部材１８に水密に固定される。
【００２２】
保持部材２７は、表裏方向に貫通する複数の開口部３４を有している。底部３１の湾曲部分と両側縁部２８は、それぞれの下面に、短く突出する複数の筒部３５を有している。各筒部３５は、内部に、開口部３４を有している。図６に示すように、短手方向両側において筒部３５を介して下面に開口する開口部３４（図６の左右両側に位置するもの）と、短手方向中央側において底部３１の下面に直接開口する開口部３４（図６の左右中央側に位置するもの）は、それぞれの下端がほぼ同じ高さ位置に揃っている。
【００２３】
図５に示すように、底部３１は、略中央部に、上方に突出する円筒状の吸気部３６を有している。吸気部３６は、上端部に、吸気部材３７を取り付けて保持する。吸気部材３７は、吸気部３６に冠着された状態で、本体下部材１８の連通孔２３に進入して給水空間２２に臨み、給水空間２２から通水空間２４に供給される湯水に、吸気部３６から取り入れた外気を気泡として混合し、気泡入りの湯水を通水空間２４に送る機能を有している。
【００２４】
底部３１は、下面に、複数の有底凹状の電気部品装着部３８を有している。図１０に示すように、各電気部品装着部３８は、奥側に位置する底面視長円形又は楕円形の奥側凹部３９と、開口側において奥側凹部３９より一回り大きく開口する底面視略矩形の開口側凹部４１と、奥側凹部３９と開口側凹部４１との間に位置する平坦な段差面４２と、を有している。図７に示すように、電気部品装着部３８は、奥側凹部３９と開口側凹部４１との段差形状に応じて、底部３１の裏面側に段付き状に膨出している。そして、電気部品装着部３８は、段差面４２における開口側凹部４１の対角方向の二角部に、位置決め突起４３を有している。
【００２５】
図１０に示すように、各電気部品装着部３８は、底部３１の下面の長手方向両側に対をなして配置される。各開口部３４は、保持部材２７の下面において、電気部品装着部３８を挟んだ長手方向及び短手方向の両側に、電気部品装着部３８の外周を取り囲むように配置されることになる。
【００２６】
各電気部品装着部３８は、内側に、照明装置などの電気部品４４を収容する。図７に示すように、電気部品４４は、ＬＥＤなどの光源を有する照明部４５と、照明部４５を覆って保持する躯体部４６と、を有している。光源は、配線部材４７に接続され、配線部材４７から供給される電力に基づいて光を照射する。躯体部４６は、上下部分で構成され、下側部分に、照明窓４８（レンズ）を有している。
【００２７】
躯体部４６は、上下部分の境界において外側に張り出すフランジ部４９を有し、図２に示すように、フランジ部４９の外周側の四角部分に位置決め孔５１を有している。フランジ部４９が段差面４２に当接し、位置決め孔５１に位置決め突起４３が挿入されることにより、躯体部４６が電気部品装着部３８に位置決め状態で配置される。
【００２８】
図１０に示すように、保持部材２７は、下面に、概ね短手方向に屈曲しつつ延び、各電気部品装着部３８の開口側凹部４１の四角部分とその四角部分に対応する側縁部２８の側面２８Ａとに開口する配線案内溝５２を有している。図９に示すように、保持部材２７は、底部３１の湾曲部分及び両側縁部２８のそれぞれの下面において、隣接する筒部３５間に一体化し、対をなして立ち上がる対向壁５３を有している。配線案内溝５２は、両対向壁５３間に形成されている。
【００２９】
配線部材４７は、導電金属製の線状部材であって、図２及び図３に示すように、共通配線５７から二股に分岐し、両側縁部２８の側面部２８Ａに沿って並列に配索される側方配線部５５と、図９に示すように、側方配線部５５から分岐して各配線案内溝５２に嵌合して保持される表面側配線部５４と、を有している。表面側配線部５４は、端部が照明部４５の光源の電極に接続される。このため、表面側配線部５４は、図２に示すように、電気部品４４の四角部分から両側縁部２８にかけて保持部材２７の短手方向に延びるように配索される。
【００３０】
図１０に示すように、保持部材２７は、長手方向略中央部及び長手方向一側の端部に、両側縁部２８から下方に突出し、短手方向で対向する突起部分をもった挟持片５８、５８Ｅを複数有している。配線部材４７の側方配線部５５は、両側縁部２８の側面２８Ａ側から下方へＵ字形又は角Ｕ字形に屈曲し、挟持片５８に位置決め状態で挟持される。共通配線５７は、保持部材２７の長手方向一側の最端部に設けられた挟持片５８Ｅに位置決め状態で挟持される。
【００３１】
また、保持部材２７は、長手方向両側の適宜箇所に、複数の係止部５９を有している。図８に示すように、各係止部５９は、両側縁部２８から側方に突出する基端部６１と、基端部６１から上方に突出する先端部６２とを有し、Ｌ字フック状に形成されている。係止部５９の先端部６２は、側縁部２８の側面２８Ａに対向し、上端（突出方向先端）が本体下部材１８の下面に近接して対向配置される。
【００３２】
係止部５９の内側は、保持空間６４とされる。配線部材４７の側方配線部５５は、保持空間６４において、吐水本体部１２の長手方向の側面１２Ａよりも内側（短手方向中央側）に控えて配置され、側縁部２８の側面２８Ａに押し付けられた状態で保持される。保持空間６４は、その上面開口が本体下部材１８によって実質的に閉塞される。このため、側方配線部５５は保持空間６４に抜け止め状態に保持される。図３に示すように、保持部材２７の両側縁部２８は、各係止部５９の長手方向両側に、ビス挿通孔３２などを含む突出部６３を有している。各係止部５９に係止された側方配線部５５は、保持部材２７の両側縁部２８の側面２８Ａ側において、隣接する突出部６３間に引っ込むように配置される。
【００３３】
散水板２６は、保持部材２７の外形より一回り小さいゴム成形品であって、図６に示すように、保持部材２７の裏面に沿って当接するように、下向きに湾曲する部分を有している。図１１に示すように、散水板２６は、下面に、下方に突出する複数の円柱状の管部６５を有している。図６に示すように、各管部６５は、内部に、散水板２６を表裏方向に貫通する散水孔６６を有している。短手方向に並ぶ各管部６５は、下向きに湾曲する短手方向中央側のものが短手方向両側のものより短寸とされ、それぞれの先端に開口する吐出口１０８が同じ高さ位置に揃っている。各管部６５は、保持部材２７の各開口部３４に挿通される。
【００３４】
また、図１１に示すように、散水板２６は、略中央部に、吸気部３６が挿通される吸気部挿通孔６７を有し、長手方向両側に、電気部品装着部３８の膨出部分が挿通される装着部挿通孔６８を有している。散水板２６における平坦な外周四辺部分は、吐水本体部１２の本体下部材１８と保持部材２７との間に水密に挟持される。これにより、図６に示すように、吐水本体部１２の本体下部材１８と散水板２６の裏面との間に、通水空間２４が形成される。
【００３５】
図６に示すように、押さえ部材２５は、散水板２６の外形より一回り小さくされ、通水空間２４の内部に配置されて散水板２６の裏面に沿って当接し、保持部材２７との間に散水板２６を挟み込む。図１２に示すように、押さえ部材２５は、長手方向両側に、表裏方向に貫通する一対の端側開口部６９を有し、長手方向中央側に、表裏方向に貫通する中央側開口部７１を有している。中央側開口部７１は、端側開口部６９よりも長手方向に大きな開口径で構成されている。そして、押さえ部材２５は、両端側開口部６９及び中央側開口部７１のそれぞれの内部に長手方向に架け渡される形態の架設部７２を有している。各架設部７２は、下面に、下方に突出する複数の押さえ突起７３を有している。各押さえ突起７３は、散水板２６の裏面に当接し、散水板２６を保持部材２７側に押し付ける機能を有している。
【００３６】
各架設部７２のうち、中央側開口部７１に設けられるものは、長手方向略中央部に、吸気部３６が挿通される環状部７４を有している。図５に示すように、環状部７４はＯリング７５を介して吸気部３６に水密に支持される。
【００３７】
図１２に示すように、押さえ部材２５は、両端側開口部６９のそれぞれと中央側開口部７１との間に、電気部品装着部３８の膨出部分が挿通される装着部貫通孔７６を有している。また、押さえ部材２５は、各装着部貫通孔７６の内側に張り出し、図７に示すように、電気部品装着部３８の膨出部分の肩領域に当接可能な内周フランジ７７を有している。さらに、押さえ部材２５は、長手方向に沿った両側縁側に、複数の導水孔７８を有している。押さえ部材２５が散水板２６の裏面側に配置されると、各導水孔７８が対応する両側縁側の散水孔６６に連通し、両側縁側の各散水孔６６に湯水を送ることが可能とされている。
【００３８】
カバー１４は、金属製の筐体であって、図２に示すように、散水部１３の保持部材２７の表面側を覆う長尺の表面板部１０１と、表面板部１０１における長手方向一側の短辺部分を除く三辺部分から立ち上がり、ブラケット部１１、吐水本体部１２及び散水部１３の側面側を覆う側面板部１０２と、を一体に有している。表面板部１０１及び側面板部１０２は、長手方向一側の端部において、ブラケット部１１、吐水本体部１２及び散水部１３に外嵌される図３に示すリテーナ１０３に沿って配置される。カバー１４内には、このカバー１４をブラケット部１１のガイド部材１６にビス止めして固定するための図示しない連結部材も収容されている。
【００３９】
表面板部１０１は、散水板２６の各管部６５が進入する複数の貫通孔１０４を有している。各管部６５の先端部分は、各貫通孔１０４を通して表面板部１０１の表面から下方に突出し、浴室９０内に露出して配置される。また、表面板部１０１は、長手方向両側に、各貫通孔１０４に取り囲まれるようして、電気部品装着部３８に装着された電気部品４４の躯体部４６が進入する一対の進入孔１０５を有し、長手方向略中央部に、吸気部３６の下端部が進入する吸気開口部１０６を有している。図７に示すように、電気部品４４の躯体部４６が進入孔１０５に進入した状態で、躯体部４６の照明窓４８は浴室９０の内側に露出して配置される。また、表面板部１０１の長手方向一側の端部には、筐体部８０の上部を受け入れる切欠状の凹所１０７が設けられている。
【００４０】
上記シャワー装置によれば、給水管８５、配管部１９、給水空間２２、通水空間２４及び各散水孔６６（各管部６５内）によって吐水路１０９が構成される。操作部８１を吐水操作することにより、吐水路１０９を通して各管部６５の先端の吐出口１０８から湯水が吐出される。照明窓４８を通して照射される光は、吐出口１０８から吐出される湯水や洗い場床９８に溜まった湯水を照らすように構成される。
【００４１】
ここで、配線部材４７は、カバー１４の表面板部１０１との間に間隔をあけつつ、散水部１３の保持部材２７の表面側に臨むように配索される。具体的には、図３に示すように、配線部材４７は、各表面側配線部５４が保持部材２７の表面における配線案内溝５２に配索され、共通配線５７から分岐した側方配線部５５が保持部材２７の両側縁部２８の側面２８Ａに沿って配索される。このため、保持部材２７を利用して、配線部材４７を配索する作業を容易に行うことができるとともに、配線部材４７を所定の配索形状に保持することができ、配索自由度を高めることができる。しかも、通水空間２４が形成された散水部１３の裏面側を配線部材４７が通ることがないため、散水部１３の裏面側の設計の自由度を高めることができる。
【００４２】
また、配線部材４７がシャワー本体１０において散水部１３の裏面側のような奥まった部分に設けられていないことから、メンテナンスを行う際に、シャワー本体１０を構成する各部を細かく分解する必要がなく、メンテナンス作業を容易に行うことができる。
【００４３】
また、電気部品４４が保持部材２７の表面に凹設された電気部品装着部３８に装着されることにより、電気部品４４と保持部材２７が表裏方向で重なる領域を有することになるため、電気部品４４の設置に起因して、シャワー本体１０が表裏方向に格別大きくなることがない。また、意匠性も良好になる。しかも、保持部材２７に、配線部材４７の配索路や各開口部３４などが集約され、保持部材２７の多機能化を実現することができる。
【００４４】
また、各散水孔６６が管部６５の内部に形成され、各管部６５が散水部１３の表面側に突出し、各管部６５の先端部分がカバー１４の各貫通孔１０４に進入することにより、配線部材４７が各管部６５の外周の外側に配索されるため、配線部材４７の漏電の可能性を低く抑えることができる。
【００４５】
また、保持部材２７の両側縁部２８に複数の係止部５９が設けられ、配線部材４７の側方配線部５５が各係止部５９に係止されて両側縁部２８の側面２８Ａに押し付け固定されるため、配線部材４７が散水部１３の表面側から浮き上がるのを防止することができる。しかも、配線部材４７の側方配線部５５が、各係止部５９に係止されることで、保持部材２７の両側縁部２８の側面２８Ａに沿って配索され、側方配線部５５が保持部材２７の表面には実質的に配索されないため、保持部材２７の表面に、各開口部３４などを設置する有効領域を広く確保することができ、スペース効率に優れる。
【００４６】
また、各係止部５９によって固定された側方配線部５５が吐水本体部１２の長手方向に沿った側面１２Ａよりも内側に控えて位置し、吐水本体部１２及び散水部１３の側方を覆うカバー１４の側面板部１０２から大きく離間して配置されるため、カバー１４の被着時に、側方配線部５５がカバー１４と散水部１３との間に噛み込まれるのを防止することができる。しかも、各係止部５９の先端部６２が吐出本体部１２側に向けて突出し、保持部材２７の両側縁部２８の側面２８Ａ、各係止部５９の先端部６２、基端部６１及び吐水本体部１２の本体下部材１８との間に、配線部材４７の側方配線部５５を保持するための保持空間６４が形成されるため、側方配線部５５が保持空間６４に安定して保持され、カバー１４内に噛み込まれるのをいっそう確実に防止することができる。
【００４７】
＜他の実施例＞
以下、他の実施例を簡単に説明する。
（１）シャワー本体１０は、浴室９０の天井面９２に限らず、浴室９０の側壁面９１や浴槽９３の上方に設けられるものであってもよい。
（２）散水部１３は、保持部材２７と散水板２６が一体化して構成されるものであってもよい。この場合、散水板２６を合成樹脂材で成形してもよい。
（３）電気部品４４は、配線部材４７に接続される付属装置であれば、ＬＥＤなどの照明装置に限らず、その他の演出装置や送風装置などであってもよい。
（４）配線部材４７の表面側配線部５４は、配線案内溝５２に嵌合保持されず、保持部材２７の表面側に単に沿わせるだけでもよい。
（５）配線部材４７は、一部にバスバーなどの板状部分を有していてもよい。    
【符号の説明】
【００４８】
１０…シャワー本体
１２…吐水本体部
１３…散水部
１４…カバー
２４…通水空間
３８…電気部品装着部
４４…電気部品
４７…配線部材
５９…係止部
６４…保持空間
６５…管部
６６…散水孔
【図１】
2019130161.tif 000003
【図２】
2019130161.tif 000004
【図３】
2019130161.tif 000005
【図４】
2019130161.tif 000006
【図５】
2019130161.tif 000007
【図６】
2019130161.tif 000008
【図７】
2019130161.tif 000009
【図８】
2019130161.tif 000010
【図９】
2019130161.tif 000011
【図１０】
2019130161.tif 000012
【図１１】
2019130161.tif 000013
【図１２】
2019130161.tif 000014